(57)【要約】【課題】光学パラメータを容易に測定することができる光学パラメータ測定装置を提供する。【解決手段】基準画像作成部１１は、傾斜角または周期を異ならせた第１及び第２の基準画像よりなる基準画像信号を作成する。指向性表示装置５０は、表示装置５１に光学部材５２を固定させた構造を有する。光学パラメータ算出部２２は、第１の基準画像の周期と、第１の基準画像を表示した画面を表示画像撮像部２１によって撮像した第１の撮像画像信号に含まれる第１のモアレの傾斜角及び周期と、第２の基準画像の直線群の周期と、第２の基準画像を表示した画面を撮像した第２の撮像画像信号に含まれる第２のモアレの傾斜角及び周期とを用いて、表示装置５１に対する光学部材５２の相対的な傾斜角と光学部材５２の周期とを算出する。【選択図】図１
2014066539.tif 000002
【特許請求の範囲】
【請求項１】
２次元に画素が配列された表示装置の画面上に１次元に複数の光学要素による周期構造を有する光学部材を固定させた構造を有する指向性表示装置に表示させる、傾斜角と周期のうち少なくとも一方を異ならせた２種類の直線群の第１及び第２の基準画像よりなる基準画像信号を作成する基準画像作成部と、
前記基準画像信号によって前記表示装置に前記第１及び第２の基準画像を個別にまたは同時に表示させている状態における前記画面を撮像する表示画像撮像部と、
前記第１の基準画像の直線群の周期と、前記表示画像撮像部によって前記表示装置に前記第１の基準画像を表示させている状態で前記画面を撮像した第１の撮像画像信号に含まれる第１のモアレの縞模様の線に対して直交する方向と前記第１の基準画像の直線群とがなす角度である前記第１のモアレの傾斜角及び周期と、前記第２の基準画像の直線群の周期と、前記表示画像撮像部によって前記表示装置に前記第２の基準画像を表示させている状態で前記画面を撮像した第２の撮像画像信号に含まれる第２のモアレの縞模様の線に対して直交する方向と前記第２の基準画像の直線群とがなす角度である前記第２のモアレの傾斜角及び周期とを用いて、前記表示装置に対する前記光学部材の相対的な傾斜角と前記光学部材の周期とを算出する光学パラメータ算出部と、
を備えることを特徴とする光学パラメータ測定装置。
【請求項２】
前記基準画像作成部は、前記第１の画像よりなる第１の基準画像信号と、前記第２の画像よりなる第２の基準画像信号とをそれぞれ作成し、
前記表示画像撮像部は、前記第１の基準画像信号によって前記表示装置に前記第１の画像を表示させている状態における前記画面と、前記第２の基準画像信号によって前記表示装置に前記第２の画像を表示させている状態における前記画面を個別に撮像する
ことを特徴とする請求項１記載の光学パラメータ測定装置。
【請求項３】
前記基準画像作成部は、前記第１の画像よりなる第１の領域と前記第２の画像よりなる第２の領域とを含む合成画像よりなる基準画像信号を作成し、
前記表示画像撮像部は、前記基準画像信号によって前記表示装置に前記合成画像を表示させている状態における前記画面を前記第１及び第２の領域を含むように撮像し、
前記光学パラメータ算出部は、前記画面を撮像した撮像画像信号に含まれる前記第１の領域に相当する信号部分を抽出して前記第１の撮像画像信号とし、前記画面を撮像した撮像画像信号に含まれる前記第２の領域に相当する信号部分を抽出して前記第２の撮像画像信号とする
ことを特徴とする請求項１記載の光学パラメータ測定装置。
【請求項４】
前記光学パラメータ算出部は、前記第１または第２の基準画像の周期をＬ、前記第１または第２のモアレの周期をΛ、前記第１または第２のモアレの傾斜角をΔΦとしたとき、複号同順である次の式（１），（２）に基づいて、前記第１または第２の基準画像の直線群と前記複数の光学要素における隣接する光学要素の境界線との角度誤差Δθ及び周期誤差ΔＬを求め、
Δθ＝±（Ｌ／Λ）×ｃｏｓΔΦ    …（１）
ΔＬ＝±（Ｌ２／Λ）×ｓｉｎΔΦ    …（２）
式（１），（２）より得られる４種類の角度誤差Δθ及び周期誤差ΔＬに基づいて、前記表示装置に対する前記光学部材の相対的な傾斜角と前記光学部材の周期とを算出する
ことを特徴とする請求項１〜３のいずれか１項に記載の光学パラメータ測定装置。
【請求項５】
２次元に画素が配列された表示装置の画面上に１次元に複数の光学要素による周期構造を有する光学部材を固定させた構造を有し、前記表示装置に対する前記光学部材の取り付け精度が所定の角度以内であることが補償されている指向性表示装置に表示させる、傾斜した直線を所定の周期で配列させた直線群の基準画像よりなる基準画像信号を作成する基準画像作成部と、
前記基準画像信号によって前記表示装置に前記基準画像を表示させている状態における前記画面を撮像する表示画像撮像部と、
前記基準画像の直線群の周期と、前記表示画像撮像部によって前記表示装置に前記基準画像を表示させている状態で前記画面を撮像した撮像画像信号に含まれるモアレの縞模様の線に対して直交する方向と前記基準画像の直線群とがなす角度である前記モアレの傾斜角及び周期とを用いて、前記表示装置に対する前記光学部材の相対的な傾斜角と前記光学部材の周期とを算出する光学パラメータ算出部と、
を備えることを特徴とする光学パラメータ測定装置。
【請求項６】
２次元に画素が配列された表示装置の画面上に１次元に複数の光学要素による周期構造を有する光学部材を固定させた構造を有する指向性表示装置に、傾斜角と周期との少なくとも一方を異ならせた２種類の直線群の第１及び第２の基準画像よりなる基準画像信号を供給して、前記画面に前記第１及び第２の基準画像を表示させ、
前記画面に前記第１及び第２の基準画像を個別にまたは同時に表示させている状態における前記画面を撮像し、
前記第１の基準画像の直線群の周期と、前記画面に前記第１の基準画像を表示させている状態で前記画面を撮像した第１の撮像画像信号に含まれる第１のモアレの縞模様の線に対して直交する方向と前記第１の基準画像の直線群とがなす角度である前記第１のモアレの傾斜角及び周期と、前記第２の基準画像の直線群の周期と、前記画面に前記第２の基準画像を表示させている状態で前記画面を撮像した第２の撮像画像信号に含まれる第２のモアレの縞模様の線に対して直交する方向と前記第２の基準画像の直線群とがなす角度である前記第２のモアレの傾斜角及び周期とを用いて、前記表示装置に対する前記光学部材の相対的な傾斜角と前記光学部材の周期とを算出する
ことを特徴とする光学パラメータ測定方法。
【請求項７】
２次元に画素が配列された表示装置の画面上に１次元に複数の光学要素による周期構造を有する光学部材を固定させた構造を有し、前記表示装置に対する前記光学部材の取り付け精度が所定の角度以内であることが補償されている指向性表示装置に、傾斜した直線を所定の周期で配列させた直線群の基準画像よりなる基準画像信号を表示させ、
前記画面に前記基準画像を表示させている状態における前記画面を撮像し、
前記基準画像の直線群の周期と、前記画面に前記基準画像を表示させている状態で前記画面を撮像した撮像画像信号に含まれるモアレの縞模様の線に対して直交する方向と前記基準画像の直線群とがなす角度である前記モアレの傾斜角及び周期とを用いて、前記表示装置に対する前記光学部材の相対的な傾斜角と前記光学部材の周期とを算出する
ことを特徴とする光学パラメータ測定方法。
【請求項８】
２次元に画素が配列された表示装置の画面上に１次元に複数の光学要素による周期構造を有する光学部材を固定させた構造を有する指向性表示装置に複数の画像信号を表示させるとき、前記複数の画像信号それぞれの画素データを前記表示装置におけるどの画素に表示させるかの対応関係を設定するテーブルを参照して、前記複数の画像信号それぞれの画素データを配列させる画素データ配列部と、
前記表示装置に対する前記光学部材の相対的な傾斜角と前記光学部材の周期とに基づいて、前記テーブルに設定されている情報を更新するテーブル更新部と、
を備えることを特徴とする指向性表示装置。
【発明の詳細な説明】
【技術分野】
【０００１】
本発明は、２次元に画素が配列された表示装置の画面上に１次元に周期構造を有する光学部材を配置させた画像表示装置の光学パラメータを測定することができる光学パラメータ測定装置及び光学パラメータ測定方法に関する。また、本発明は、例えば裸眼立体表示装置のように、画面を見る角度によって異なる画像を表示させることができる指向性表示装置に関する。
【背景技術】
【０００２】
画面を見る角度によって異なる画像を表示させることができる、指向性を有した指向性表示装置がある。指向性表示装置は、一例として、複数の視差画像をそれぞれの視差画像に対して割り当てられた画素に表示させることによって、表示画像を裸眼立体視させる裸眼立体表示装置として用いることができる。１次元に指向性を有する指向性表示装置は、一般的に、液晶パネル等の２次元に画素が配列された表示装置の画面上に、１次元に周期構造を有する光学部材を配置させて、光学部材を表示装置に固定させた構造を有している。
【０００３】
表示装置の画面上に光学部材を固定させて指向性表示装置を構成する場合には、表示装置に対する光学部材の取り付け位置を表示装置の画素以下の精度で調整することが必要となる。近年、表示装置の高解像度化に伴って画素のサイズは小さくなっており、光学部材の取り付け位置を調整する際の要求精度が高くなってきている。そこで、光学部材と表示装置との相対的な取り付け位置を正確に測定することができる光学パラメータ測定装置及び光学パラメータ測定方法が必要となる。
【０００４】
一例として、特許文献１には、表示装置の画面に所定間隔の平行直線群を表示させ、発生するモアレを観察し、平行直線群の角度や間隔を調整することによって、光学部材（レンチキュラーレンズ）のレンズピッチや表示装置に対する光学部材の配置角度を求めることが記載されている。
【先行技術文献】
【特許文献】
【０００５】
【特許文献１】特開２００７−６５４４１号公報
【発明の概要】
【発明が解決しようとする課題】
【０００６】
特許文献１に記載の方法では、レンチキュラーレンズの各レンズの境界線とモアレの角度とを合わせるように平行直線群の角度を調整し、モアレがなくなるように平行直線群の間隔を調整しなければならない。上記のように表示装置の高解像度化に伴って画素のサイズは小さくなっていることから、レンチキュラーレンズの周期も小さくなってきている。従って、レンズの境界線とモアレの角度とを合わせることは容易ではない。
【０００７】
しかも、特許文献１に記載の方法は、レンズの境界線とモアレの角度とを合わせ、モアレがなくなるように平行直線群の間隔を調整するという動的な処理が必要であるので、光学パラメータを測定する処理が煩雑である。
【０００８】
本発明はこのような問題点に鑑み、光学パラメータを容易に測定することができる光学パラメータ測定装置及び光学パラメータ測定方法を提供することを目的とする。また、本発明は、光学パラメータが適切でなくても画像を正しく表示させることができる指向性表示装置を提供することを目的とする。
【課題を解決するための手段】
【０００９】
本発明は、上述した従来の技術の課題を解決するため、２次元に画素が配列された表示装置（５１）の画面上に１次元に複数の光学要素による周期構造を有する光学部材（５２）を固定させた構造を有する指向性表示装置（５０）に表示させる、傾斜角と周期のうち少なくとも一方を異ならせた２種類の直線群の第１及び第２の基準画像よりなる基準画像信号を作成する基準画像作成部（１１）と、前記基準画像信号によって前記表示装置に前記第１及び第２の基準画像を個別にまたは同時に表示させている状態における前記画面を撮像する表示画像撮像部（２１）と、前記第１の基準画像の直線群の周期と、前記表示画像撮像部によって前記表示装置に前記第１の基準画像を表示させている状態で前記画面を撮像した第１の撮像画像信号に含まれる第１のモアレの縞模様の線に対して直交する方向と前記第１の基準画像の直線群とがなす角度である前記第１のモアレの傾斜角及び周期と、前記第２の基準画像の直線群の周期と、前記表示画像撮像部によって前記表示装置に前記第２の基準画像を表示させている状態で前記画面を撮像した第２の撮像画像信号に含まれる第２のモアレの縞模様の線に対して直交する方向と前記第２の基準画像の直線群とがなす角度である前記第２のモアレの傾斜角及び周期とを用いて、前記表示装置に対する前記光学部材の相対的な傾斜角と前記光学部材の周期とを算出する光学パラメータ算出部（２２）とを備えることを特徴とする光学パラメータ測定装置を提供する。
【００１０】
上記の光学パラメータ測定装置において、前記基準画像作成部は、前記第１の画像よりなる第１の基準画像信号と、前記第２の画像よりなる第２の基準画像信号とをそれぞれ作成し、前記表示画像撮像部は、前記第１の基準画像信号によって前記表示装置に前記第１の画像を表示させている状態における前記画面と、前記第２の基準画像信号によって前記表示装置に前記第２の画像を表示させている状態における前記画面を個別に撮像することが好ましい。
【００１１】
上記の光学パラメータ測定装置において、前記基準画像作成部は、前記第１の画像よりなる第１の領域と前記第２の画像よりなる第２の領域とを含む合成画像よりなる基準画像信号を作成し、前記表示画像撮像部は、前記基準画像信号によって前記表示装置に前記合成画像を表示させている状態における前記画面を前記第１及び第２の領域を含むように撮像し、前記光学パラメータ算出部は、前記画面を撮像した撮像画像信号に含まれる前記第１の領域に相当する信号部分を抽出して前記第１の撮像画像信号とし、前記画面を撮像した撮像画像信号に含まれる前記第２の領域に相当する信号部分を抽出して前記第２の撮像画像信号としてもよい。
【００１２】
上記の光学パラメータ測定装置において、前記光学パラメータ算出部は、前記第１または第２の基準画像の周期をＬ、前記第１または第２のモアレの周期をΛ、前記第１または第２のモアレの傾斜角をΔΦとしたとき、複号同順である次の式（１），（２）に基づいて、前記第１または第２の基準画像の直線群と前記複数の光学要素における隣接する光学要素の境界線との角度誤差Δθ及び周期誤差ΔＬを求め、
Δθ＝±（Ｌ／Λ）×ｃｏｓΔΦ    …（１）
ΔＬ＝±（Ｌ２／Λ）×ｓｉｎΔΦ    …（２）
式（１），（２）より得られる４種類の角度誤差Δθ及び周期誤差ΔＬに基づいて、前記表示装置に対する前記光学部材の相対的な傾斜角と前記光学部材の周期とを算出することが好ましい。
【００１３】
また、本発明は、上述した従来の技術の課題を解決するため、２次元に画素が配列された表示装置（５１）の画面上に１次元に複数の光学要素による周期構造を有する光学部材（５２）を固定させた構造を有し、前記表示装置に対する前記光学部材の取り付け精度が所定の角度以内であることが補償されている指向性表示装置（５０）に表示させる、傾斜した直線を所定の周期で配列させた直線群の基準画像よりなる基準画像信号を作成する基準画像作成部（１１）と、前記基準画像信号によって前記表示装置に前記基準画像を表示させている状態における前記画面を撮像する表示画像撮像部（２１）と、前記基準画像の直線群の周期と、前記表示画像撮像部によって前記表示装置に前記基準画像を表示させている状態で前記画面を撮像した撮像画像信号に含まれるモアレの縞模様の線に対して直交する方向と前記基準画像の直線群とがなす角度である前記モアレの傾斜角及び周期とを用いて、前記表示装置に対する前記光学部材の相対的な傾斜角と前記光学部材の周期とを算出する光学パラメータ算出部（２２）とを備えることを特徴とする光学パラメータ測定装置を提供する。
【００１４】
さらに、本発明は、上述した従来の技術の課題を解決するため、２次元に画素が配列された表示装置（５１）の画面上に１次元に複数の光学要素による周期構造を有する光学部材（５２）を固定させた構造を有する指向性表示装置（５０）に、傾斜角と周期との少なくとも一方を異ならせた２種類の直線群の第１及び第２の基準画像よりなる基準画像信号を供給して、前記画面に前記第１及び第２の基準画像を表示させ、前記画面に前記第１及び第２の基準画像を個別にまたは同時に表示させている状態における前記画面を撮像し、前記第１の基準画像の直線群の周期と、前記画面に前記第１の基準画像を表示させている状態で前記画面を撮像した第１の撮像画像信号に含まれる第１のモアレの縞模様の線に対して直交する方向と前記第１の基準画像の直線群とがなす角度である前記第１のモアレの傾斜角及び周期と、前記第２の基準画像の直線群の周期と、前記画面に前記第２の基準画像を表示させている状態で前記画面を撮像した第２の撮像画像信号に含まれる第２のモアレの縞模様の線に対して直交する方向と前記第２の基準画像の直線群とがなす角度である前記第２のモアレの傾斜角及び周期とを用いて、前記表示装置に対する前記光学部材の相対的な傾斜角と前記光学部材の周期とを算出することを特徴とする光学パラメータ測定方法を提供する。
【００１５】
また、本発明は、上述した従来の技術の課題を解決するため、２次元に画素が配列された表示装置（５１）の画面上に１次元に複数の光学要素による周期構造を有する光学部材（５２）を固定させた構造を有し、前記表示装置に対する前記光学部材の取り付け精度が所定の角度以内であることが補償されている指向性表示装置（５０）に、傾斜した直線を所定の周期で配列させた直線群の基準画像よりなる基準画像信号を表示させ、前記画面に前記基準画像を表示させている状態における前記画面を撮像し、前記基準画像の直線群の周期と、前記画面に前記基準画像を表示させている状態で前記画面を撮像した撮像画像信号に含まれるモアレの縞模様の線に対して直交する方向と前記基準画像の直線群とがなす角度である前記モアレの傾斜角及び周期とを用いて、前記表示装置に対する前記光学部材の相対的な傾斜角と前記光学部材の周期とを算出することを特徴とする光学パラメータ測定方法を提供する。
【００１６】
さらにまた、本発明は、上述した従来の技術の課題を解決するため、２次元に画素が配列された表示装置（５１）の画面上に１次元に複数の光学要素による周期構造を有する光学部材（５２）を固定させた構造を有する指向性表示装置（５０）に複数の画像信号を表示させるとき、前記複数の画像信号それぞれの画素データを前記表示装置におけるどの画素に表示させるかの対応関係を設定するテーブル（３２）を参照して、前記複数の画像信号それぞれの画素データを配列させる画素データ配列部（３１）と、前記表示装置に対する前記光学部材の相対的な傾斜角と前記光学部材の周期とに基づいて、前記テーブルに設定されている情報を更新するテーブル更新部（３３）とを備えることを特徴とする指向性表示装置を提供する。
【発明の効果】
【００１７】
本発明の光学パラメータ測定装置及び光学パラメータ測定方法によれば、光学パラメータを容易に測定することができる。本発明の指向性表示装置によれば、光学パラメータが適切でなくても画像を正しく表示させることができる。
【図面の簡単な説明】
【００１８】
【図１】第１実施形態の光学パラメータ測定装置を示すブロック図である。
【図２】第１実施形態で用いる２種類の基準画像を示す図である。
【図３】第１実施形態において画面に表示されるモアレを含む画像の例を示す図である。
【図４】光学部材の傾斜角と周期を算出する原理を説明するための図である。
【図５】直線とレンズ境界線との関係が図４とは異なるものの、同じ周期で同じ方向のモアレが発生する場合を示す図である。
【図６】第２実施形態の光学パラメータ測定装置を示すブロック図である。
【図７】第２実施形態で用いる基準画像を示す図である。
【図８】第２実施形態において画面に表示されるモアレを含む画像の例を示す図である。
【図９】第３実施形態の光学パラメータ測定装置を示すブロック図である。
【図１０】第３実施形態で用いる基準画像を示す図である。
【図１１】第３実施形態において画面に表示されるモアレを含む画像の例を示す図である。
【図１２】第４実施形態の指向性表示装置を示すブロック図である。
【発明を実施するための形態】
【００１９】
以下、各実施形態の光学パラメータ測定装置、光学パラメータ測定方法、指向性表示装置について、添付図面を参照して説明する。第１〜第３実施形態は、光学パラメータ測定装置及び光学パラメータ測定方法に係る実施形態であり、第４実施形態は、指向性表示装置に係る実施形態である。
【００２０】
＜第１実施形態＞
図１において、指向性表示装置５０は、２次元に画素が配列された表示装置５１の画面上に、１次元に複数の光学要素による周期構造を有する光学部材の一例としてレンチキュラーレンズ５２を配置させて固定させた構造を有している。レンチキュラーレンズ５２の場合、光学要素はシリンドリカルレンズである。
【００２１】
表示装置５１の画面に対してレンチキュラーレンズ５２を貼合させてもよいし、ねじ等を用いてレンチキュラーレンズ５２を表示装置５１に取り付けてもよい。表示装置５１は例えば液晶パネルである。表示装置５１はいわゆるマトリクス型の表示装置であればよい。
【００２２】
レンチキュラーレンズ５２は、複数のシリンドリカルレンズを配列させたものである。レンチキュラーレンズ５２は、隣接するシリンドリカルレンズの境界線（以下、レンズ境界線）５２１が表示装置５１の垂直方向に対して傾斜させた状態で表示装置５１に取り付けられている。換言すると、レンチキュラーレンズ５２（シリンドリカルレンズ）の周期方向は、画素の配列の水平方向に対して傾けた状態で配置されている。レンチキュラーレンズ５２の周期と、表示装置５１とレンチキュラーレンズ５２との相対的な角度は所定の設計中心を有している。
【００２３】
指向性表示装置５０以外のブロックは、光学パラメータ測定装置を構成している。但し、画像表示駆動部１３は、指向性表示装置５０が有するものを利用することができる。光学パラメータ測定装置は、後述のようにして、光学パラメータとして、レンチキュラーレンズ５２のレンズピッチ（周期）、表示装置５１とレンチキュラーレンズ５２との相対的な角度を測定する。
【００２４】
基準画像作成部１１は、制御部１４による制御に基づいて、図２の（ａ）に示すような傾斜した直線群の基準画像である基準画像信号Svaと、図２の（ｂ）に示すような傾斜した直線群の基準画像である基準画像信号Svbを作成して出力する。
【００２５】
基準画像信号Svaによる直線群の基準画像は、図２の（ａ）に示すように、それぞれの直線１１１の傾斜角がθａ、直線の周期である直線ピッチがＬａである。基準画像信号Svbによる直線群の基準画像は、図２の（ｂ）に示すように、それぞれの直線１１１の傾斜角がθｂ、直線ピッチがＬｂである。レンチキュラーレンズ５２の表示装置５１の垂直方向に対する傾斜角の設計中心が１６°であるとする。この場合、傾斜角θａを例えば１５°、傾斜角θｂを例えば１７°とする。直線ピッチＬａ，Ｌｂは例えば０．５ｍｍである。
【００２６】
基準画像作成部１１は、複数の直線１１１よりなる基準画像の直線１１１の傾斜角θａ，θｂと周期（直線ピッチ）Ｌａ，Ｌｂとの少なくとも一方を異ならせた２つの基準画像信号Sva，Svbを作成する。第１実施形態においては、上記のように周期Ｌａ，Ｌｂを同じとし、傾斜角θａ，θｂを異ならせた基準画像信号Sva，Svbを用いる場合を例として説明する。
【００２７】
基準画像作成部１１より出力された基準画像信号Sva，Svbは、基準画像保持部１２に保持される。図１に示す構成では、基準画像作成部１１が基準画像信号Sva，Svbを一度に作成して双方を出力するので、基準画像信号Sva，Svbを一時的に保持しておく基準画像保持部１２が必要となる。制御部１４による制御に基づいて、基準画像作成部１１が基準画像信号Svaを作成して出力した後に基準画像信号Svbを作成して出力するようにすれば、基準画像保持部１２を省略することも可能である。
【００２８】
制御部１４は、まず、基準画像保持部１２に保持された基準画像信号Svaを読み出すよう基準画像保持部１２を制御する。基準画像保持部１２より読み出された基準画像信号Svaは、画像表示駆動部１３へと入力される。画像表示駆動部１３は、指向性表示装置５０に基準画像信号Svaを表示させるよう指向性表示装置５０を駆動する。制御部１４は、基準画像信号Svaを表示させているときには制御部２３に対して基準画像信号Svaを表示させていることを示す識別信号を供給する。
【００２９】
表示画像撮像部２１は、制御部２３による制御に基づいて、指向性表示装置５０の画面全体を撮像する。表示画像撮像部２１は一般的なデジタルカメラでよい。指向性表示装置５０が基準画像信号Svaを表示させている状態で、表示画像撮像部２１が画面を撮像した撮像画像信号Siaは、光学パラメータ算出部２２に入力される。
【００３０】
制御部２３は、撮像画像信号Siaを光学パラメータ算出部２２に入力させたら、制御部１４に対して、基準画像信号Svaによる画像の撮像を完了して、撮像画像信号Siaを光学パラメータ算出部２２へと転送したことを示す終了確認信号を供給する。
【００３１】
制御部１４は、制御部２３から終了確認信号を受信したら、基準画像保持部１２に保持された基準画像信号Svbを読み出すよう基準画像保持部１２を制御する。基準画像保持部１２より読み出された基準画像信号Svbは、画像表示駆動部１３へと入力される。画像表示駆動部１３は、指向性表示装置５０に基準画像信号Svbを表示させるよう指向性表示装置５０を駆動する。制御部１４は、基準画像信号Svbを表示させているときには制御部２３に対して基準画像信号Svbを表示させていることを示す識別信号を供給する。
【００３２】
表示画像撮像部２１は、制御部２３による制御に基づいて、基準画像信号Svbを表示させている指向性表示装置５０の画面を撮像する。表示画像撮像部２１が画面を撮像した撮像画像信号Sibは、光学パラメータ算出部２２に入力される。制御部２３は、撮像画像信号Sibを光学パラメータ算出部２２に入力させたら、制御部１４に対して、基準画像信号Svbによる画像の撮像を完了して、撮像画像信号Sibを光学パラメータ算出部２２へと転送したことを示す終了確認信号を供給する。
【００３３】
基準画像信号Sva，Svbを指向性表示装置５０の画面に表示させたとき、画面に表示される画像にモアレを発生させるよう、直線１１１の傾斜角θａ，θｂと周期Ｌａ，Ｌｂとが設定された直線群の基準画像信号Sva，Svbとする。傾斜角θａ，θｂは、傾斜角の設計中心が間に入るような２つの角度とし、モアレを発生させるような角度であればよい。
【００３４】
図３の（ａ）は指向性表示装置５０に基準画像信号Svaを供給したときに画面に表示される画像の例、図３の（ｂ）は指向性表示装置５０に基準画像信号Svbを供給したときに画面に表示される画像の例を示している。図３の（ａ）に示す画像では、モアレの周期方向の、垂直方向に対する傾斜角(モアレによる縞模様のそれぞれの線と直行する方向と、垂直方向とのなす角度)がΦａ、線の周期であるモアレピッチがΛａである。図３の（ｂ）に示す画像では、モアレの周期方向の、垂直方向に対する傾斜角がΦｂ、モアレピッチがΛｂである。
【００３５】
光学パラメータ算出部２２は、図３の（ａ）の画像を示す撮像画像信号Siaと、図３の（ｂ）の画像を示す撮像画像信号Sibとを用いて、レンチキュラーレンズ５２の傾斜角と周期とを算出する。
【００３６】
図４を用いて、レンチキュラーレンズ５２の傾斜角と周期を算出する原理について説明する。光学パラメータ算出部２２は、撮像画像信号Sia，Sibが有するモアレを検出するために、例えば高速フーリエ変換（ＦＦＴ：Fast Fourier Transform）によって空間周波数の周波数ピークを求める。空間周波数の周波数ピークのベクトルによって傾斜角Φａ，Φｂを求めることができ、ピークとなる周波数からモアレピッチΛａ，Λｂを求めることができる。
【００３７】
傾斜角Φａ，ΦｂやモアレピッチΛａ，Λｂを他の方法によって求めてもよい。測定者が直接画像を確認して傾斜角Φａ，ΦｂやモアレピッチΛａ，Λｂを測定してもよい。
【００３８】
図４において、基準画像信号Sva（または基準画像信号Svb）によって描かれる直線１１１と、レンチキュラーレンズ５２のレンズ境界線５２１とがΔθなる角度で交差している。直線１１１の周期はＬである。ここではΔθを大きく描いているが、直線１１１とレンズ境界線５２１とがなす角度は非常に小さい。よって、レンズ境界線５２１の周期は（Ｌ＋ΔＬ）で近似することができる。
【００３９】
このとき、モアレによる縞模様の線は一点鎖線で示す矢印線のように発生する。直線ＡＢはモアレの線上にある。ＥＦはモアレの周期Λである。∠ＡＥＦをΔΦとすると、ΔΦは直線１１１に対するモアレの傾斜角となる。モアレの傾斜角は、モアレの縞模様の線に対して直交する方向と直線群（直線１１１）とがなす角度である。Δθが小さければ、ＤＢ＝Ｌ×ｔａｎΔΦ＝ΔＬ／Δθとなる。ΔＬが小さければ、ＡＥ＝（Ｌ＋ΔＬ）／Δθ≒Ｌ／Δθとなる。モアレの周期ΛであるＥＦは、ＥＦ＝ＡＥ×ｃｏｓΔΦ＝（Ｌ／Δθ）×ｃｏｓΔΦとなる。
【００４０】
以上より、直線１１１とレンズ境界線５２１との角度誤差Δθと周期誤差ΔＬは、直線１１１の周期Ｌと、モアレの周期Λと、モアレの傾斜角ΔΦとを用いて次の式（１），（２）のように求めることができる。式（１），（２）は複号同順である。
Δθ＝±（Ｌ／Λ）×ｃｏｓΔΦ    …（１）
ΔＬ＝±（Ｌ２／Λ）×ｓｉｎΔΦ    …（２）
【００４１】
図５は、直線１１１とレンズ境界線５２１との関係が図４とは異なるものの、図４と同じ周期で同じ方向のモアレが発生する場合を示している。直線１１１とレンズ境界線５２１との関係が図４に示す状態のときのΔθ，ΔＬをそれぞれ正とすると、図５に示すように、Δθ，ΔＬがそれぞれ負となる直線１１１とレンズ境界線５２１との関係が存在する。従って、基本的には、１つの基準画像信号のみでは角度誤差Δθと周期誤差ΔＬを一意に決めることができない。そこで、２つの基準画像信号Sva，Svbを用いる。
【００４２】
光学パラメータ算出部２２に、図２の（ａ）に示す直線群（直線１１１）の傾斜角θａが１５°の基準画像信号Svaによる画像を撮像したときの撮像画像信号Siaが入力されたとき、図３の（ａ）に示すように表示された画像の傾斜角Φａが＋４５°と測定されたとする。このときのモアレの傾斜角ΔΦをΔΦａとすると、ΔΦａ＝Φａ−θａ＝＋４５°−１５°＝＋３０°となる。モアレピッチΛａは２５ｍｍと測定されたとする。
【００４３】
また、光学パラメータ算出部２２に、図２の（ｂ）に示す直線群（直線１１１）の傾斜角θａが１７°の基準画像信号Svbによる画像を撮像したときの撮像画像信号Sibが入力されたとき、図３の（ｂ）に示すように表示された画像の傾斜角Φｂが−１３°と測定されたとする。このときのモアレの傾斜角ΔΦをΔΦｂとすると、ΔΦｂ＝Φｂ−θｂ＝−１３°−１７°＝−３０°となる。モアレピッチΛｂは２５ｍｍと測定されたとする。
【００４４】
光学パラメータ算出部２２は、Ｌを０．５ｍｍ、Λａを２５ｍｍ、ΔΦａを＋３０°として、式（１），（２）に基づいてΔθａ，ΔＬａを次のように算出する。
Δθａ＝＋１°かつΔＬａ＝＋０．００５ｍｍ、または、Δθａ＝−１°かつΔＬａ＝−０．００５ｍｍ    …（３）
【００４５】
なお、式（１）におけるΔθは、単位をラジアンとした値が得られるので、単位を度に変換する必要がある。Δθの具体的な計算式は次のとおりである。
Δθａ＝±（０．５ｍｍ／２５ｍｍ）×ｃｏｓ（３０°）
＝±０．０２×０．８６６
＝±０．０１７３［ｒａｄ］
≒１［°］
【００４６】
また、光学パラメータ算出部２２は、Ｌを０．５ｍｍ、Λｂを２５ｍｍ、ΔΦｂを−１３°として、式（１），（２）に基づいてΔθｂ，ΔＬｂを次のように算出する。
Δθｂ＝＋１°かつΔＬｂ＝−０．００５ｍｍ、または、Δθｂ＝−１°かつΔＬｂ＝＋０．００５ｍｍ    …（４）
【００４７】
レンチキュラーレンズ５２の傾斜角は、式（３）によれば、１５°±１であるから、１６°または１４°である。また、レンチキュラーレンズ５２の傾斜角は、式（４）によれば、１７°±１であるから、１８°または１６°である。式（３）で求めたレンチキュラーレンズ５２の傾斜角と式（４）で求めたレンチキュラーレンズ５２の傾斜角とは同じでなければならないので、レンチキュラーレンズ５２の傾斜角は１６°であると一意に算出することができる。
【００４８】
式（３）では前者が選択され、式（４）では後者が選択されているので、光学パラメータ算出部２２は、レンチキュラーレンズ５２のレンズピッチを、０．５＋０．００５ｍｍより０．５０５ｍｍと算出することができる。
【００４９】
以上のようにして第１実施形態によれば、光学部材の周期構造を直接撮像することなく、モアレを含む撮像画像信号Sia，Sibに基づいて、表示装置に対する光学部材の相対的な傾斜角と光学部材の周期を測定することができる。
【００５０】
＜第２実施形態＞
図６に示す第２実施形態において、図１と同一部分には同一符号を付し、その説明を省略する場合がある。上述した第１実施形態においては、１つの基準画像信号のみでは角度誤差Δθと周期誤差ΔＬを一意に決めることができないため、２つの基準画像信号Sva，Svbを用いると説明した。しかしながら、特定の条件においては、１つの基準画像信号のみで角度誤差Δθと周期誤差ΔＬを決めることができ、表示装置に対する光学部材の相対的な傾斜角と光学部材の周期を測定することが可能である。
【００５１】
表示装置５１とレンチキュラーレンズ５２との相対的な角度は所定の設計中心を有しており、設計中心は例えば１６°であるとする。そして、表示装置５１に対するレンチキュラーレンズ５２の取り付け精度は、１６°±１°であることが補償されているとする。第２実施形態は、このように表示装置５１に対するレンチキュラーレンズ５２の取り付け精度が微小な所定の角度以内であることが補償されていることを条件とする。
【００５２】
図６において、基準画像作成部１１は、制御部１４による制御に基づいて、図７に示すような傾斜した直線群の基準画像である基準画像信号Svを作成して出力する。基準画像信号Svによる直線群の基準画像は、図７に示すように、それぞれの直線１１１の傾斜角がθ、直線ピッチがＬである。傾斜角θを１４°、直線ピッチＬを０．５ｍｍとする。表示装置５１に対するレンチキュラーレンズ５２の取り付け精度が１６°±１°であるから、傾斜角θは１６°±１°の範囲を超えた角度とする。
【００５３】
基準画像作成部１１より出力された基準画像信号Svは、画像表示駆動部１３に入力される。図６では、基準画像保持部１２を省略した構成としているが、図１と同様、基準画像保持部１２を設けてもよい。画像表示駆動部１３は、指向性表示装置５０に基準画像信号Svを表示させるよう指向性表示装置５０を駆動する。制御部１４は、制御部２３に対して、指向性表示装置５０に基準画像信号Svを表示させていることを示す識別信号を供給する。
【００５４】
表示画像撮像部２１は、制御部２３による制御に基づいて、指向性表示装置５０の画面全体を撮像する。指向性表示装置５０が基準画像信号Svを表示させている状態で、表示画像撮像部２１が画面を撮像した撮像画像信号Siは、光学パラメータ算出部２２に入力される。
【００５５】
制御部２３は、撮像画像信号Siを光学パラメータ算出部２２に入力させたら、制御部１４に対して、基準画像信号Svによる画像の撮像を完了して、撮像画像信号Siを光学パラメータ算出部２２へと転送したことを示す終了確認信号を供給する。第２実施形態においては、制御部２３が制御部１４に終了確認信号を供給する動作は省略可能である。
【００５６】
図８は、指向性表示装置５０に基準画像信号Svを供給したとき、画面に表示されたモアレを有する画像の例を示している。モアレの周期方向の、垂直方向に対する傾斜角はΦ、モアレピッチはΛである。傾斜角Φが＋３０°、モアレピッチΛは１３．８ｍｍと測定されたとする。
【００５７】
光学パラメータ算出部２２は、Ｌを０．５ｍｍ、Λを１３．８ｍｍ、ΔΦを＋３０°として、式（１），（２）に基づいてΔθ，ΔＬを次のように算出する。
Δθ＝＋２°かつΔＬ＝＋０．００５ｍｍ、または、Δθ＝−２°かつΔＬ＝−０．００５ｍｍ    …（５）
【００５８】
レンチキュラーレンズ５２の傾斜角は、式（５）によれば、１４°±２であるから、１６°または１２°である。表示装置５１に対するレンチキュラーレンズ５２の取り付け精度が１６°±１°であるから、レンチキュラーレンズ５２の傾斜角は１６°であると算出することができる。光学パラメータ算出部２２は、レンチキュラーレンズ５２のレンズピッチを、０．５＋０．００５ｍｍより０．５０５ｍｍと算出することができる。
【００５９】
以上のようにして第２実施形態によれば、第１実施形態よりも簡易な構成で、モアレを含む撮像画像信号Siに基づいて、表示装置に対する光学部材の相対的な傾斜角と光学部材の周期を測定することができる。
【００６０】
＜第３実施形態＞
図９に示す第３実施形態において、図１と同一部分には同一符号を付し、その説明を省略する場合がある。上述した第１実施形態においては、傾斜角θａ、直線ピッチＬａの直線群の基準画像よりなる基準画像信号Svaと、傾斜角θｂ、直線ピッチＬｂの直線群の基準画像よりなる基準画像信号Svbとを別々に用いているのに対し、第３実施形態においては、傾斜角θａ、直線ピッチＬａの直線群と傾斜角θｂ、直線ピッチＬｂの直線群との双方を含む合成画像よりなる１つの基準画像信号を用いる。
【００６１】
図９において、基準画像作成部１１は、制御部１４による制御に基づいて図１０に示すように、画面の左側の領域を傾斜角θａ、直線ピッチＬａの直線群の基準画像、画面の右側の領域を傾斜角θｂ、直線ピッチＬｂの直線群の基準画像とした基準画像信号Svabを作成して出力する。ここでは画面を左右に分割しているが、上下に分割してもよい。傾斜角θａ、直線ピッチＬａの直線群の基準画像と傾斜角θｂ、直線ピッチＬｂの直線群の基準画像の位置関係は逆でもよい。
【００６２】
第１実施形態と同様、傾斜角θａは１５°傾斜角θｂは１７°、直線ピッチＬａ，Ｌｂは０．５ｍｍである。
【００６３】
基準画像作成部１１より出力された基準画像信号Svabは、画像表示駆動部１３に入力される。図９でも、基準画像保持部１２を省略した構成としているが、図１と同様、基準画像保持部１２を設けてもよい。画像表示駆動部１３は、指向性表示装置５０に基準画像信号Svabを表示させるよう指向性表示装置５０を駆動する。制御部１４は、制御部２３に対して、指向性表示装置５０に基準画像信号Svabを表示させていることを示す識別信号を供給する。
【００６４】
表示画像撮像部２１は、制御部２３による制御に基づいて、指向性表示装置５０の画面全体を撮像する。指向性表示装置５０が基準画像信号Svabを表示させている状態で、表示画像撮像部２１が画面を撮像した撮像画像信号Siabは、撮像画像保持部２４に入力されて保持される。
【００６５】
図１１は、指向性表示装置５０に基準画像信号Svabを供給したときに画面に表示される画像の例を示している。図１１に示すように、画面の左側の領域では、傾斜角Φａ、モアレピッチΛａのモアレが発生しており、画面の右側の領域では、傾斜角Φｂ、モアレピッチΛｂのモアレが発生している。
【００６６】
撮像画像保持部２４は、制御部２３による制御に基づいて、撮像画像信号Siabより、傾斜角Φａ、モアレピッチΛａのモアレが発生している画面の左側の領域の信号部分のみを抽出して撮像画像信号Siraとして出力する。撮像画像信号Siraは、光学パラメータ算出部２２に入力される。
【００６７】
光学パラメータ算出部２２が撮像画像信号Siraに基づいて光学パラメータを算出した後、撮像画像保持部２４は、制御部２３による制御に基づいて、撮像画像信号Siabより、傾斜角Φｂ、モアレピッチΛｂのモアレが発生している画面の右側の領域の信号部分のみを抽出して撮像画像信号Sirbとして出力する。撮像画像信号Sirbは、光学パラメータ算出部２２に入力される。
【００６８】
制御部２３は、撮像画像信号Sira，Sirbを光学パラメータ算出部２２に入力させたら、制御部１４に対して、基準画像信号Svabによる画像の撮像を完了して、撮像画像信号Sira，Sirbを光学パラメータ算出部２２へと転送したことを示す終了確認信号を供給する。制御部２３は、撮像画像信号Siabを撮像画像保持部２４に保持させたら、制御部１４に終了確認信号を供給してもよい。第３実施形態においても、制御部２３が制御部１４に終了確認信号を供給する動作は省略可能である。
【００６９】
光学パラメータ算出部２２におけるレンチキュラーレンズ５２の傾斜角とレンズピッチの算出動作は、第１実施形態と全く同じであり、レンチキュラーレンズ５２の傾斜角を１６°、レンズピッチを０．５０５ｍｍと算出する。
【００７０】
以上のようにして第３実施形態によれば、１つの基準画像信号Svabによって、２つの基準画像信号Sva，Svbを用いる場合と同様に、表示装置５１に対するレンチキュラーレンズ５２の取り付け精度が補償されていなくても、レンチキュラーレンズ５２の傾斜角とレンズピッチを算出することができる。
【００７１】
第３実施形態においては、指向性表示装置５０に基準画像信号Svabを供給したときに画面に表示される画像の全体を撮像して、２種類のモアレを含む画像である撮像画像信号Siabを得て、撮像画像信号Siabを撮像画像信号Sira，Sirbに分割している。これは単なる例であり、次のようにしてもよい。
【００７２】
まず、表示画像撮像部２１が、指向性表示装置５０に基準画像信号Svabを供給したときに画面に表示される画像の左側の領域のみを撮像して、左側の領域の撮像画像信号を光学パラメータ算出部２２に入力させて光学パラメータを算出させる。その後に、表示画像撮像部２１が、指向性表示装置５０に基準画像信号Svabを供給したときに画面に表示される画像の右側の領域のみを撮像して、右側の領域の撮像画像信号を光学パラメータ算出部２２に入力させて光学パラメータを算出させる。このように、表示画像撮像部２１が画面に表示される画像を２回に分けて撮像してもよい。この場合、撮像画像保持部２４は省略可能である。
【００７３】
＜第４実施形態＞
図１２に示す第４実施形態において、図１と同一部分には同一符号を付し、その説明を省略する場合がある。第４実施形態は、光学パラメータ測定装置による光学パラメータ（レンチキュラーレンズ５２の傾斜角とレンズピッチ）に基づいて、光学パラメータが適切でなくても画像を正しく表示させるようにした指向性表示装置である。
【００７４】
図１２に示す第４実施形態は、第１実施形態の光学パラメータ測定装置を備えている。図１２において、基準画像保持部１２と画像表示駆動部１３との間には、スイッチ１５が設けられている。光学パラメータ測定装置によって指向性表示装置５０の光学パラメータを測定する場合、制御部１４は、スイッチ１５を端子ｔａに接続させる。スイッチ１５が端子ｔａに接続しているとき、光学パラメータ測定装置は第１実施形態において説明したように、レンチキュラーレンズ５２の傾斜角と周期とを算出する。
【００７５】
画素データ配列部３１には、指向性表示装置５０に表示される画像信号が入力される。第４実施形態においては、画像信号は一例として互いに異なる９つの画像信号であるとする。９つの画像信号は、例えば、指向性表示装置５０に立体画像を表示させるための９視点の視差画像である多視点画像信号である。画素データ配列部３１に入力される画像信号が９視点の多視点画像信号である場合を例にして説明する。
【００７６】
９視点の多視点画像信号を指向性表示装置５０に表示する場合、９視点の多視点画像信号をそれぞれの視差画像に対して割り当てられた表示装置５１の画素に表示させることが必要である。画素データ配列部３１は、９視点の多視点画像信号のそれぞれを表示装置５１のどの画素に対して表示させるかを対応付けるテーブル３２を有している。テーブル３２には、予め、指向性表示装置５０が、レンチキュラーレンズ５２の傾斜角と周期が所定の設計中心どおりに製造されていることを前提とした対応付けデータが設定されている。
【００７７】
ところが、レンチキュラーレンズ５２の傾斜角と周期のいずれか一方でも設計中心からずれている場合、テーブル３２に設定されている設計中心の対応付けデータを用いれば、視点の多視点画像信号を指向性表示装置５０に正しく表示させることはできない。そこで、第４実施形態では、次のように構成している。
【００７８】
光学パラメータ算出部２２で算出されたレンチキュラーレンズ５２の傾斜角と周期を示す情報は、テーブル更新部３３に入力される。テーブル更新部３３は、レンチキュラーレンズ５２の傾斜角と周期を示す情報に基づいて、テーブル３２に設定されている対応付けデータを更新させる。
【００７９】
ここでテーブルの作成方法について説明する。表示装置５１の画素の位置を、左上の角を原点として、（Ｘ，Ｙ）とする。Ｘ，Ｙは整数である。水平方向の画素ピッチをｐｘ、垂直方向の画素ピッチをｐｙとする。レンチキュラーレンズ５２の傾斜角をψとし、周期（レンズピッチ）をＰとする。レンチキュラーレンズ５２の傾斜角ψは、レンズ境界線５２１の表示装置５１の垂直方向に対する傾斜角である。レンズピッチＰはレンズ境界線５２１の間隔である。
【００８０】
表示装置５１のそれぞれの画素と、それぞれの画素左側に隣接するレンチキュラーレンズ５２のレンズ境界線５２１との距離ΔＰ（Ｘ，Ｙ）は、例えば次の式（６）で算出することができる。式（６）における傾斜角ψ、レンズピッチＰは、光学パラメータ算出部２２で算出された値である。Ｎは、０≦ΔＰ＜Ｐとなる整数である。
ΔＰ（Ｘ，Ｙ）＝Ｘ×ｐｘ×ｃｏｓψ＋Ｙ×ｐｙ×ｓｉｎψ−Ｎ×Ｐ    …（６）
【００８１】
ΔＰ（Ｘ，Ｙ）から、次の式（７）により、画素の位置（Ｘ，Ｙ）における画素が表示すべき多視点画像信号の番号ＴＢＬ（Ｘ，Ｙ）を決定する。多視点画像信号の番号は９視点の場合、例えば０〜８とする。なお、floor（α）とは、αの小数点を切り捨てた整数を示す。ＴＢＬ（Ｘ，Ｙ）は、０〜８のいずれかの整数となる。
ＴＢＬ（Ｘ，Ｙ）＝floor（９×ΔＰ（Ｘ，Ｙ）／Ｐ）    …（７）
【００８２】
テーブル更新部３３は、表示装置５１の全ての画素に対して、式（６）及び式（７）によって、９視点の多視点画像信号それぞれの画素データを表示装置５１のどの位置の画素に対して表示させるかを対応付ける新たなテーブルを作成して、テーブル３２を更新させる。
【００８３】
画素データ配列部３１は、更新されたテーブル３２を参照して、９視点の多視点画像信号それぞれの画素データを、テーブル３２に設定されているそれぞれの画素の位置（Ｘ，Ｙ）と、その位置（Ｘ，Ｙ）における多視点画像信号の番号ＴＢＬ（Ｘ，Ｙ）との対応関係と一致させるように配列させる。
【００８４】
画素データ配列部３１に入力される画像信号を指向性表示装置５０に表示させる場合、制御部１４はスイッチ１５を端子ｔｂに接続させる。画素データ配列部３１によって配列された画素データは、画像表示駆動部１３へと供給されて、指向性表示装置５０に表示される。
【００８５】
以上のようにして第４実施形態によれば、表示装置５１に対するレンチキュラーレンズ５２の取り付け精度が悪く、表示装置５１とレンチキュラーレンズ５２との相対的な位置に誤差がある場合でも、画像を正しく表示させることができる。温度変化によってレンチキュラーレンズ５２が膨張する等の外的要因によって表示装置５１とレンチキュラーレンズ５２との相対的な位置が変化した場合でも、画像を正しく表示させることができる。
【００８６】
前者の効果を奏するには、例えば、指向性表示装置５０に初めて画像信号を表示させる前にレンチキュラーレンズ５２の傾斜角と周期を算出して、レンチキュラーレンズ５２の傾斜角と周期を少なくとも一度算出しておけばよい、後者の効果を奏するには、例えば、指向性表示装置５０に画像信号を表示させる都度、レンチキュラーレンズ５２の傾斜角と周期を算出するとか、適宜、レンチキュラーレンズ５２の傾斜角と周期を算出すればよい。
【００８７】
図１２に示す第４実施形態においては、第１実施形態の光学パラメータ測定装置を備える構成を示しているが、第２または第３実施形態の光学パラメータ測定装置を備える構成としてもよい。
【００８８】
本発明は以上説明した第１〜第４実施形態に限定されることはなく、本発明の要旨を逸脱しない範囲において種々変更可能である。光学部材はレンチキュラーレンズに限定されない。第１〜第４実施形態においては、２つの制御部１４，２３を用いたが、１つの制御部としてもよい。また、２つの制御部を副制御部とし、２つの制御部を制御する主制御部を設けてもよい。基準画像作成部１１は、予め作成した基準画像信号を単に再生する再生部であってもよい。指向性表示装置に表示させる画像信号は、多視点画像信号に限定されない。
【符号の説明】
【００８９】
１１  基準画像作成部
１２  基準画像保持部
１３  画像表示駆動部
１４，２３  制御部
１５  スイッチ
２１  表示画像撮像部
２２  光学パラメータ算出部
２４  撮像画像保持部
３１  画素データ配列部
３２  テーブル
３３  テーブル更新部
５０  指向性表示装置
５１  表示装置
５２  光学部材
【図１】
2014066539.tif 000003
【図２】
2014066539.tif 000004
【図３】
2014066539.tif 000005
【図４】
2014066539.tif 000006
【図５】
2014066539.tif 000007
【図６】
2014066539.tif 000008
【図７】
2014066539.tif 000009
【図８】
2014066539.tif 000010
【図９】
2014066539.tif 000011
【図１０】
2014066539.tif 000012
【図１１】
2014066539.tif 000013
【図１２】
2014066539.tif 000014